(57)【特許請求の範囲】
【請求項１】
筒型のケーシングの軸線方向に有する前後端部の夫々に配管の上流側に接続される入口と配管の下流側に接続される出口を設け、前端部の入口と後端部の出口はケーシングの内径より小径に形成され、ケーシング内には、出口側に入口に対向して入口と出口の直線流路を２分する障壁を上下にわたって設け、該障壁と所定間隔を以て左右対向配置される一対のスクリーンとケーシングの外壁の内面上下とで入口を囲繞する濾過部を構成し、前記外壁の上下部位には濾過部内と外部に連通する蓋付き開口部を設けたことを特徴とするストレーナ。
【請求項２】
ケーシングは、ボルト及びナットで締結される管フランジの間に挟持され、且つ、該管フランジに接合される上記前後端部の夫々をフランジレスと成し、上記外壁の上下部位は、管フランジ間に架設されるボルト間を挿通可能と成す様に、前後に長く左右に扁平な山形に外方膨出形成した突部と成し、該突部の頂部に蓋付き開口部を設けたことを特徴とする請求項１記載のストレーナ。
【請求項３】
上記外壁の上下部位を除く上記ボルト間との対応部位は、ケーシング内における濾過部左右の流路断面積の和が出口面積以上と成したケーシング容積を有する様に、外方膨出形成したことを特徴とする請求項２記載のストレーナ。
【発明の詳細な説明】
【技術分野】
【０００１】
本発明は、各種配管ラインを流れる流体中のスケールやゴミなどの異物を分離除去するストレーナに関する。
【背景技術】
【０００２】
特許文献１には、ケーシングの同一軸線上にある前後端に入口と出口を設け、入口と出口の流路を中間で下方屈曲形成すると共に、その屈曲流路の屈曲部を出口側へ斜め下方に延出形成して周面に複数の小孔を有する有底筒状のスクリーンの収容部と成し、該収容部内に入口側に開口端が指向する様にスクリーンを装填し、該スクリーンの閉塞端が望む収容部の下端開口部を蓋体で閉塞したＹ形ストレ−ナが開示されている。
【０００３】
このＹ形ストレーナは、入口から出口への流路を流れる流体がスクリーンを通過することにより、スケールやゴミなどの異物を濾過する。
【０００４】
そして、スクリーンの洗浄は、ストレーナが設置された配管においてストレーナの出入口に通じる開閉弁を閉弁して配管内の流体の流れを止めた後に、蓋体を外してスクリーンを取り出し、該スクリーン内に捕集された異物を排除すると共に、スクリーン自体に付着した汚れを取り除くことで成し得る。
【先行技術文献】
【特許文献】
【０００５】
【特許文献１】特許第３３４８０２１号公報
【発明の概要】
【発明が解決しようとする課題】
【０００６】
しかしながら、上記Ｙ形ストレーナは、そのケーシングにおいてスクリーンの収容部が出口側へ斜め下方に突出しているので、ストレーナ全体が大型化せざるを得ず、しかも入口と出口の流路が下方屈曲しているため、流体はストレーナ内を屈曲しながら進行して濾過され、流動抵抗が増大し圧力損失が大きくなる。
【０００７】
さらに、ストレ−ナの清掃等のメンテナンスに際しては、Ｙ形ストレーナの最下限部位である収容部の下端開口部からスクリーンを引き出す必要があるため、収容部下端の延長軸線上に少なくともスクリーンの軸線長さより長いスクリーン引き出し代を有するメンテナンススペースを確保しなければならないといった課題も有している。
【０００８】
そこで、本発明では、スクリーンをそのケーシングより挿脱することなく、簡単に清掃できるコンパクトで圧力損失が小さいストレーナを提供することを目的としている。
【課題を解決するための手段】
【０００９】
上記課題に鑑み、本発明のストレーナは、筒型のケーシングの軸線方向に有する前後端部の夫々に配管の上流側に接続される入口と配管の下流側に接続される出口を設け、前端部の入口と後端部の出口はケーシングの内径より小径に形成され、ケーシング内には、出口側に入口に対向して入口と出口の直線流路を２分する障壁を上下にわたって設け、該障壁と所定間隔を以て左右対向配置される一対のスクリーンとケーシングの外壁の内面上下とで入口を囲繞する濾過部を構成し、前記外壁の上下部位には濾過部内と外部に連通する蓋付き開口部を設けたことを特徴とする。
また、ケーシングは、ボルト及びナットで締結される管フランジの間に挟持され、且つ、該管フランジに接合される上記前後端部の夫々をフランジレスと成し、上記外壁の上下部位は、管フランジ間に架設されるボルト間を挿通可能と成す様に、前後に長く左右に扁平な山形に外方膨出形成した突部と成し、該突部の頂部に蓋付き開口部を設けたことを特徴とする。
さらに、上記外壁の上下部位を除く上記ボルト間との対応部位は、ケーシング内における濾過部左右の流路断面積の和が出口面積以上と成したケーシング容積を有する様に、外方膨出形成したことを特徴とする請求項２記載のストレーナ。
【発明の効果】
【００１０】
要するに本発明は、筒型のケーシングの軸線方向に有する前後端部の夫々に配管の上流側に接続される入口と配管の下流側に接続される出口を設け、前端部の入口と後端部の出口はケーシングの内径より小径に形成され、ケーシング内には、出口側に入口に対向して入口と出口の直線流路を２分する障壁を上下にわたって設け、該障壁と所定間隔を以て左右対向配置される一対のスクリーンとケーシングの外壁の内面上下とで入口を囲繞する濾過部を構成し、前記外壁の上下部位には濾過部内と外部に連通する蓋付き開口部を設けたので、配管の上流からケーシング内に入口から流入する流体は、濾過部の障壁によって出口への直線流路が２分されて左右のスクリーンを通過し、その際に該スクリーンによって、流体内の異物が濾過され、該異物は濾過部内に捕集され、流体中の異物が濾過部の下流側へ流出することを確実に防止できる。
しかも、濾過部をケーシング内の直線流路と同一軸線上に配置できるため、ストレ−ナを小型化できると共に、流体の流れ方向が直線的で変わらず、圧力損失を大幅に低減できる。
また、ストレ−ナの清掃等のメンテナンスに際しては、配管内の流体の流れを止めた後に、上下の蓋を取り外して各開口部を開放することにより、濾過部内と外部を連通させ、上方開口部から濾過部内へ既存の清掃ブラシ等の清掃具を挿入して濾過部内に溜まっている異物を下方開口部から外部へ排出除去したり、上方開口部から水道水等を濾過部内に注水したりすることにより、かかる注入水と共に濾過部内の異物や付着物を下方開口部から外部へ排出し、メンテナンス後は、各開口部からファイバースコープを挿入して濾過部内の状態を確認することも可能である。
この様に、本発明によれば、スクリーンをケーシングから外部へ取り出すことなく、簡単容易に清掃できるため、従来のＹ形ストレーナで必要とした広いメンテナンススペースを確保する必要はなく、Ｙ形ストレーナが度重なるメンテナンスによって繰り返されるスクリーンの着脱でスクリーン自体が変形したり、ケーシング内のスクリーン据え付け箇所との接触不良で隙間を生じたりすることによって使用中にスクリーンが振動したり、隙間から異物が下流に流れる不具合もない。
【００１１】
また、ケーシングは、ボルト及びナットで締結される管フランジの間に挟持され、且つ、該管フランジに接合される上記前後端部の夫々をフランジレスと成した所謂ウエハー形であり、配管への設置状態では、管材の接続端部に設けた管フランジ間にケーシングを挟み込み、管フランジ間に通したボルトをナットで締結することにより、管フランジ間に介装支持されるので、フランジ形のストレーナに比しフランジの肉厚分だけ面間（前後端部間）寸法が短くなり、ストレーナの全重量の大幅な軽量化、配管へのストレーナ設置に要するボルト本数の半減化が可能と成り、管材間におけるケーシングの介装スペースを縮小できると共に、配管へのストレーナ設置作業を効率的に行える上に、ストレーナのフランジに要する材料費を削減できるので、製造コストを飛躍的に低減できる。
この様に、管フランジ間にストレーナを介装配管するために、管フランジ間のケーシング周囲に複数のボルトが架設されても、上記外壁の上下部位は、管フランジ間に架設されるボルト間を挿通可能と成す様に、前後に長く左右に扁平な山形に外方膨出形成した突部と成し、該突部の頂部に蓋付き開口部を設けたので、ボルト間より突部が外方へ突き出ているから何の障害もなく、開口部の蓋を簡単容易に開閉できる。
しかも、突部は前後に長く形成されているため、ストレ−ナの清掃時には、上方開口部から挿入した清掃ブラシの先端を前後に幅広く動作させられ、これにより濾過部内の異物を下方開口部に通して外部へ容易に排出できる。
また、上下の突部の山形を対称形状にして、例えば前後の斜辺の一方を他方より明らかに長く設定することにより、ストレーナの外見から入口と出口が前後どちらの端部に配置されているかを見分けられるため、ストレ−ナの配管設置時に入口と出口を間違えることがない。
【００１２】
さらに、記外壁の上下部位を除く上記ボルト間との対応部位は、ケーシング内における濾過部左右の流路断面積の和が出口面積以上と成したケーシング容積を有する様に、外方膨出形成したので、配管へのストレーナの設置状態で管フランジ間のケーシング周囲に複数のボルトが架設されることにてケーシングの大きさが規制されるとしても、流体がストレーナを通過する際の流量を充分に確保することができる等その実用的効果甚だ大である。
【図面の簡単な説明】
【００１３】
【図１】本発明に係るストレーナの斜視図である。
【図２】同上正面図である。
【図３】同上側面図である。
【図４】図２のＡ−Ａ断面図である。
【図５】図４のＢ−Ｂ断面図である。
【図６】図４のＣ−Ｃ断面図である。
【図７】図４のＤ−Ｄ断面図である。
【発明を実施するための形態】
【００１４】
以下本発明の実施の一形態例を図面に基づいて説明する。
本発明に係るストレーナは、筒型のケーシング１の軸線方向に有する前後端部２、３の夫々に配管の上流側に接続される入口４と配管の下流側に接続される出口５を設け、前端部２の入口４と後端部３の出口５はケーシング１の内径より小径に形成され、ケーシング１内には、出口５側に入口４及び出口５に対向して入口４と出口５の直線流路を２分する障壁６を上下にわたって設け、該障壁６と所定間隔を以て左右対向配置される一対のスクリーン７とケーシング１の外壁1aの内面1b上下とで入口４を囲繞する濾過部８を構成し、ケーシング１の外壁1aの上下部位には濾過部８内と外部に連通する蓋９付き開口部10を設けている。
【００１５】
ケーシング１は、（長ねじ）ボルトBT及びナットNTで締結される管フランジＦの間に挟持され、且つ、該管フランジＦに接合される前後端部２、３の夫々をフランジレスと成した所謂ウエハー形であり、図３に示す様に水平方向に配設された配管への設置状態では、管材Ｐの接続端部に設けた管フランジＦ間にケーシング１を挟み込み、管フランジＦ間に通したボルトBTをナットNTで締結することにより、管フランジＦ間に介装支持される様に成している。
【００１６】
したがって、フランジ形のストレーナに比しフランジの肉厚分だけ面間（前後端部２、３間）寸法が短くなり、ストレーナの全重量の大幅な軽量化、配管へのストレーナ設置に要するボルト本数の半減化が可能と成り、管材Ｐ間におけるケーシング１の介装スペースを縮小できると共に、配管へのストレーナ設置作業を効率的に行える上に、ストレーナのフランジに要する材料費を削減できるので、製造コストを飛躍的に低減できる。
【００１７】
ケーシング１において、外壁1aの上下部位は、管フランジＦ間に架設されるボルトBT間を挿通可能と成す様に、前後（ケーシング１の軸線方向）に長く左右に扁平な山形（図示例では、側面視が、上下の対辺を平行にして、出口５側の一辺を障壁６と同一軸線上の垂線、入口４側の一辺を斜線とした台形）に外方へ膨出形成して上下対称の突部11と成し、該突部11の頂部11ａを内方に開口部10を設けた円形皿状に形成し、頂部11ａには、上下面に複数の環状溝を有するリング状の平型パッキン12を介して蓋９を気密又は水密状に被冠螺着している。
【００１８】
この様に、入口４側に突部11の斜辺、出口５側に突部11の垂直辺を有することで、ストレーナ（ケーシング１）の外見から入口４と出口５が前後どちらの端部２、３に配置されているかを見分けられるため、ストレ−ナの配管設置時に入口４と出口５を間違えることがない。
【００１９】
また、ケーシング外壁1aにおいて、突部11を設けた上下部位を除くボルトBT間との対応部位は、ケーシング１内における濾過部８左右の流路断面積の和が出口５の面積以上と成したケーシング容積を有する様に、前後に長い段丘状（以下、段丘部1cと称する。）に外方膨出形成している。
【００２０】
これにより、配管へのストレーナの設置状態で管フランジＦ間のケーシング１周囲に複数のボルトBTが架設されることにてケーシング１の大きさが規制されるとしても、流体がストレーナを通過する際の流量を充分に確保することができる。
【００２１】
そして、前後端部２、３における管フランジＦとの接合面の夫々には、管フランジＦとの間に介装されるリング状の平型パッキンＳ（図４のみ表示）の滑り止めに用いられる同心円状の複数の環状溝13を刻設している。
【００２２】
ケーシング１は、その本体14にスクリーン７を収容保持すべく前端部２を着脱自在に取付けている。
【００２３】
本体14は、前端部２を印籠嵌合する円形開口部14ａを前端に設け、本体14の出口５寄りの内面1b上下間には、上下辺が短く左右及び上下に線対称で上下に細長な六角板状の障壁６を形成し、該障壁６と同一平面上の左右に流路の一部となる空隙Ｇを形成している。
【００２４】
そして、障壁６の円形開口部14ａ（入口４）との対向面（正面）には、この正面の山括弧「〈〉」状の左右側縁に沿って後述するスクリーン７の後端を装着する左右対称で断面凹状の支持枠15を形成し、左右の支持枠15の上下端の夫々には、本体14の内面1b上下において円形開口部14ａ近傍へ至る各母線に沿ってスクリーン７の上下側縁を装着する断面凹状の支持枠15ａを連続形成している。
【００２５】
スクリーン７は、多数の小孔7aを穿設した薄肉方形状のパンチングプレートを障壁６の左右側縁形状に合致する様に、スクリーン７の左右夫々が山括弧「〈」状、山括弧「〉」状（図７参照）に屈曲形成して成り、かかる屈曲形成による曲げ加工硬化によって各スクリーン７の強度を高めている。
【００２６】
そして、本体14の内面1b上下の夫々に直線状に設けた支持枠15ａの円形開口部14ａに望む上下の小口15ｂからスクリーン７の上下側縁を支持枠15ａに沿って障壁６側へスライドさせ、スクリーン７の山括弧「〈」状、山括弧「〉」状の各後端を障壁６正面の山括弧「〈〉」状の左右側縁に沿って設けた支持枠15に挿入することにより、スクリーン７の後端及び上下側縁を支持枠15、15ａに装着する。
【００２７】
前端部２は、入口４を設けた円板に円形開口部14ａと外径が同一と成した外壁1aより厚肉な周壁2aを設け、該周壁2aの後半部外径を円形開口部14ａに印籠嵌合可能に縮径形成すると共に、後半部周囲に設けた凹溝にＯリング16を装着している。
【００２８】
前端部２裏面には、周壁2aの後端面と同一平面上に、本体14内に収容されたスクリーン７前端との当接面17ａを有する背面視（図６参照）が支持枠15と同幅で山括弧「〈〉」状の押さえ枠17を設けている。
【００２９】
そして、本体14の円形開口部14ａにＯリング16を以て気密又は水密状に前端部２を印籠嵌合し、円形開口部14ａの四方に有する段丘部1cの前方と、前端部２の周壁2a前半部の四方の夫々にボルトBT間に挿通可能に突設した突片18、19を接合してネジ20止めすると、本体14内に支持枠15、15ａに装着されることで収容されたスクリーン７前端を押さえ枠17の当接面17ａが押圧し、内部に濾過部８を有するケーシング１（ストレーナ）が構成される。
【００３０】
なお、ストレーナを設置した配管の上流及び下流には、ストレーナのメンテナンス時に配管内の流体の流れを止める開閉弁（図示せず）を設けている。
【００３１】
また、本発明に係るストレーナは、上述した水平方向に配設された配管に限らず、垂直方向に配設された配管にも適用可能であり、この場合でも、当然ながら入口４を配管の上流側に接続し、出口５を配管の下流側に接続する。
【００３２】
以上の様に構成された本発明に係るストレーナにあっては、ケーシング１の前後端部２、３の夫々を管材Ｐに設けた管フランジＦに接合すると共に、該管フランジＦの各ボルト穴の夫々にボルトBTを挿通し、該ボルトBTの端部をナットNTで締結することにより、ケーシング１は管材Ｐ間に介装固定され、平型パッキンＳが管フランジＦと前後端部２、３の接合面間に介装されることでケーシング１と管材Ｐとは水密又は気密状に連通する。
【００３３】
図３、６、７に示す様に、配管に設置されたケーシング１において、外壁1aの上下で突出する突部11はボルトBT間を挿通し、外壁1aの上下部位を除くボルトBT間との対応部位では段丘部1cが配置され、外壁1a上で突出する突部11、段丘部1cが管フランジＦ、F1間のボルトBTの架設状態を妨げることはなく、ボルトBT間を突部11が挿通することでその頂部11ａに設けた蓋９も簡単容易に開口部10を開閉できる。
【００３４】
そして、配管の上流からケーシング１内に入口４から流入する流体は、濾過部８の障壁６により出口５への直線流路が２分されて左右のスクリーン７を通過し、その際にスクリーン７によって、流体内の異物が濾過され、該異物は濾過部８内に捕集され、流体中の異物が濾過部８の下流側へ流出することを確実に防止する。
【００３５】
しかも、濾過部８をケーシング１内の直線流路と同一軸線上に配置できるため、ストレ−ナを小型化できると共に、流体の流れ方向が直線的で変わらず、圧力損失を大幅に低減できる。
【００３６】
ストレ−ナの清掃等のメンテナンスに際しては、先ずストレーナが設置された配管において出入口４、５に通じる上記開閉弁を閉弁して配管内の流体の流れを止める。
【００３７】
その後、上下の蓋９を取り外して各開口部10を開放することにより、濾過部８と外部を連通させ、上方開口部10から濾過部８内へ既存の清掃ブラシ等の清掃具を挿入して濾過部８内に溜まっている異物を下方開口部10から外部へ排出除去する。
【００３８】
この時、突部11は前後に長く形成さているため、上方開口部10から挿入した清掃ブラシの先端を前後に幅広く動作させられ、これにより濾過部８内の異物を下方開口部10に通して外部へ容易に排出除去できる。
【００３９】
また、上方開口部10から水道水等を濾過部８内に注水することにより、かかる注入水と共に濾過部８内の異物や付着物を下方開口部10から外部へより簡単に排出できる。
【００４０】
そして、メンテナンス後は、各開口部10からファイバースコープを挿入して濾過部８内の状態を確認することも可能である。
【００４１】
この様に、スクリーン７をケーシング１から外部へ取り出すことなく簡単容易に清掃できるため、従来のＹ形ストレーナで必要とした広いメンテナンススペースを確保する必要はなく、Ｙ形ストレーナが度重なるメンテナンスによって繰り返されるスクリーンの着脱でスクリーン自体が変形したり、ケーシング内のスクリーン据え付け箇所との接触不良で隙間を生じたりすることによって使用中にスクリーン７が振動したり、隙間から異物が下流に流れる不具合もない。
【００４２】
そして、上下の頂部11ａに蓋９を被冠螺着することにより上下開口部10を閉塞し、開閉弁を開弁することでケーシング１の上下流を連通させてストレーナのメンテナンスを完了する。
【符号の説明】
【００４３】
１    ケーシング
1a    外壁
1b    内面
２    前端部
３    後端部
４    入口
５    出口
６    障壁
７    スクリーン
８    濾過部
９    蓋
10    開口部
11    突部
11ａ  頂部
BT    ボルト
NT    ナット
Ｆ    管フランジ
【要約】      （修正有）【課題】スクリーンをそのケーシングより挿脱することなく、簡単に清掃できるコンパクトで圧力損失が小さいストレーナを提供する。【解決手段】筒型のケーシング１の前後端部２、３の夫々にケーシング１の内径より小径な入口４と出口５を設け、ケーシング１内には、出口５側に入口４に対向して入口４と出口５の直線流路を流れ方向に沿って２分する障壁６を上下にわたって設け、該障壁６と所定間隔を以て左右対向配置される一対のスクリーン７とケーシング１の外壁1aの内面1b上下とで入口４を囲繞する濾過部８を構成し、外壁1aの上下部位には濾過部８内と外部に連通する蓋９付き開口部10を設けた。【選択図】図５【図１】
0006944223.tif 000002
【図２】
0006944223.tif 000003
【図３】
0006944223.tif 000004
【図４】
0006944223.tif 000005
【図５】
0006944223.tif 000006
【図６】
0006944223.tif 000007
【図７】
0006944223.tif 000008